(57)【要約】【目的】説明者の身長に合わせてメニュー等のボタンを配置することで、メニュー等のボタンの操作を簡易化し、説明者が自然で円滑なプレゼンテ−ションを行うことができる背面投写型表示装置を提供すること。【構成】光学式タッチパネル入力装置を搭載するＰＣモニターとしての背面投写型表示装置において、キー部材の端部を光学式タッチパネル入力装置により検出する位置検出手段を備え、コンピュータ画面における黒枠領域内の任意の位置に配置可能にする。【選択図】      図１
2004362114.tif 000002
【特許請求の範囲】
【請求項１】
光学式タッチパネル入力装置を搭載するＰＣモニターとしての背面投写型表示装置において、
キー部材の端部を光学式タッチパネル入力装置により検出する位置検出手段を備え、コンピュータ画面における黒枠領域内の任意の位置に配置可能にしたことを特徴とする背面投写型表示装置。
【発明の詳細な説明】
【０００１】
【発明の属する技術分野】
本発明は、タッチパネル入力装置を搭載した背面投写型表示装置、特にキーの配置に関するものである。
【０００２】
【従来の技術】
プレゼンテーションでは、コンピュータと背面投写型表示装置の普及により、プレゼンテーション用に開発された応用ソフトウエアを使用して大画面に情報を表示しながら効率的なプレゼンテーションが行われるようになってきた。
【０００３】
しかしながら、メニュー等のボタンを操作するときには、画面の下にボタンがあるため、説明者が屈んだりしなければならず、プレゼンテーションの効率化に逆行するものであった。そのような技術が特許文献１等に記載されている。
【０００４】
【特許文献１】
特開平８−１９４２０２号公報
【発明が解決しようとする課題】
このように、従来は、プレゼンテーションにおいて、説明者がメニュー等のボタンを操作するときには、背面投写型表示装置の画面の下側に配置されているキーを屈んで、押さなければならないという欠点がある。
【０００５】
本発明は上記問題に鑑みてなされたもので、その目的とする処は、説明者の身長に合わせてメニュー等のボタンを配置することで、メニュー等のボタンの操作を簡易化し、説明者が自然で円滑なプレゼンテ−ションを行うことができる背面投写型表示装置を提供することにある。
【０００６】
【課題を解決するための手段】
上記目的を達成するため、本発明は、光学式タッチパネル入力装置を搭載するＰＣモニターとしての背面投写型表示装置において、キー部材の端部を光学式タッチパネル入力装置により検出する位置検出手段を備え、コンピュータ画面における黒枠領域内の任意の位置に配置可能にしたことを特徴とする。
【０００７】
具体的には、本発明の背面投写型表示装置は、指で触るスイッチの位置が印刷されたシートが座標入力面部に置かれた場合、背面投写型表示装置が置かれた物体がスイッチの位置が印刷されたシートの位置をその形状から認識する認識手段と、シートが座標入力面のどの位置に置かれているかを特定する位置検出手段と、その置かれた位置においてユーザーが触れたシートの位置からスイッチとしてのＯＮ／ＯＦＦを検知するＯＮ／ＯＦＦ検知手段と、検知したスイッチ情報を実行する実行手段とを備える。
【０００８】
【発明の実施の形態】
以下に本発明の実施の形態を添付図面に基づいて詳細に説明する。
【０００９】
図４は本発明に係る背面投写型表示装置１を示しており、同図において、１１は説明者、１２は座標入力面、１３はコンピュ−タを示す。
【００１０】
図１は図５の座標検出装置を用いた場合の本発明に係る構成図を示す。
【００１１】
図１は座標入力面１２の詳細図を示しており、長方形の座標入力面１２における長辺の両隅の外側には、発光素子、受光素子等を有する発光検出装置２，３がそれぞれ設けられている。又、座標入力面１２の上側の辺を除く３辺、つまり、左右両側の辺及び下側の辺には再帰性反射シート４が設けられている。座標入力面１２における黒枠の左側にはキー部材５（指で触るスイッチの位置が印刷されたシート）が配置されている。
【００１２】
図１２はキー部材５の斜視図を示している。キー部材５の配置の仕方は後述する。
【００１３】
図２は図１におけるキー部材５周辺の詳細図を示す。図３は図２のＡ−Ａ線断面図を示しており、７は背面投写型表示装置の座標入力面を投射するためのスクリーン、６はスクリーン７を保持するためのエスカッション、４はスクリーン７上に保持された再帰性反射シート、５はエスカッション６にマジックテープやマグネット等で取付けられたキー部材、６１及び５１は発光検出装置２，３の発光素子の光を通過させるためにエスカッション４及びキー部材５それぞれにあけられた開口部を示す。
【００１４】
図５に本発明で用いた座標検出装置の構成図を示す。ここでは、四角形状の平面板である座標入力面１２の隣接する２つの角（ｋ１，ｋ２）に、発光検出装置２，３を固定して設置する。この２つの発光検出装置２，３から座標入力面１２上に光が発射される。一方、利用者は、位置指示棒、即ちペン５で座標入力面１上の任意の位置を指し示す。
【００１５】
このとき、発光検出装置２，３は、発光検出装置２，３から発せられた光のうちペン５で遮蔽された発光検出装置２，３に戻ってこない光を検出してペン５の位置座標を算出する。発光検出装置２，３は、どちらも同じ構成を持つものを用い、発光部と、受光角度検出部とから構成される。ここで、発光検出装置２，３は、発光部から発光される光の発光光軸と、受光角度検出部の受光光軸とがどちらも座標入力面の基準点４の方向を向くように座標入力面に対して設置される。尚、発光検出装置は、前記した発光・検出手段に相当し、発光部は発光手段に、受光角度検出部は角度検出手段に相当する。
【００１６】
図１において、座標入力面の角ｋ１と基準点８とを結ぶ線分ａ１，座標入力面の角ｋ２と基準点８とを結ぶ線分ａ２の方向を発光検出装置２，３それぞれの発光光軸及び受光光軸とする。ここで、線分ａ１，ａ２は、座標入力面１２の角を４５°に２等分する方向とする。又、座標入力面１の角ｋ２を原点（０，０）とし、座標入力面１２上の位置を横方向をＹ軸、縦方向をＸ軸とするＸ−Ｙ座標系で表わすものとする。
【００１７】
入力領域外周、即ち発光検出装置２，３から発せられた光が通過する領域に、「光を反射する構造」（再帰性反射シート）４を備える。そして、特に、この「光を反射する構造」４は、発光検出装置２，３から発せられた光の入射方向と同一の方向に反射する再帰性構造である。
【００１８】
次に、この発明の座標検出装置におけるペンの指示位置の検出原理について説明する。
【００１９】
先ず、図５の座標入力面上において、ペン９を用いて適当な位置Ｐ（Ｐｘ  ，Ｐｙ  ）を指示したとする。このとき、発光検出装置２の発光部のＬＥＤから出射された赤外光のうち線分ｑ１方向に出た光はペン９に当たり、遮蔽されるために、その反射光ｑ１は受光角度検出部に受光されない。同様に、発光検出装置３の発光部のＬＥＤから出射された赤外光のうち線分ｑ２の方向に出た光はペン９に当たり、その反射光ｑ２は受光角度検出部に受光されない。ここで、線分ｑ２は、座標入力面の角ｋ２を２等分する線分ａ２からθの角度をなし、線分ｑ１は、座標入力面１の角ｋ１を２等分する線分ａ１からΦの角度をなすものとする。
【００２０】
点ＰのＸ座標Ｐｘ，Ｙ座標Ｐｙの値は、三角測量の原理により、それぞれ以下の（１），（２）式の連立式を解けば、ペンの位置を求めることができる。
【００２１】
Ｐｙ＝Ｐｘ×ｔａｎ（４５−θ）          …（１）
Ｐｙ＝（Ｌ−Ｐｘ）ｔａｎ（４５−Φ）    …（２）
図６及び図７は図５における発光検出装置２，３に設けられた受光素子のそれぞれのタイミングチャートを示しており、受光信号の波形を示す。発光検出装置２，３における発光素子の光路に遮断物（指示物）が存在しないときには、再帰性反射シート４からの反射光が受光素子に入射され、その光路に遮断物（指示物）が存在するときには、その反射光が受光素子に入射されない。従って、図５に示されているような状態では、角度がそれぞれ４５°−θ及び４５°−Φときにのみ受光素子に入射光は入射されない。
【００２２】
図８及び図９は図１においてキー部材を配置したときの発光検出装置２，３に設けられた受光素子のそれぞれのタイミングチャートを示しており、受光信号の波形を示す。
【００２３】
図１〜図３において、２点Ｐ１〜Ｐ２の間と２点Ｐ３〜Ｐ４の間は壁があるため、反射光が受光素子に入射されない。２点Ｐ２〜Ｐ３の間は図３に示すように開口部があるため、再帰性反射シート４からの反射光が受光素子に入射される。
【００２４】
ここで、背面投写型表示装置１において、座標入力面１２上の黒枠にキー部材を設定する方法について述べる。
【００２５】
図４に示すように、コンピュータ１３を背面投写型表示装置１に接続して、コンピュータ画面を表示させる場合、有効範囲の全てを表示させる必要がある。そのため、エスカッション６の枠に対する投影倍率と投影位置の誤差を吸収するために余分な領域（黒枠）が必要となる。その余分な領域である黒枠にキー部材を設定することにより、有効表示領域として利用されていないところを利用することが可能となる。
【００２６】
図１〜図３は座標入力面１２の黒枠の左側にキー部材５を配置した例を示す。図８及び図９で説明したように、反射光が受光素子に入射されないところが２箇所存在する。反射光が受光素子に入射されないところが２箇所のうち、Ｙ方向の位置が原点に近い方を、図１の例で言えば、点Ｐ１  （Ｘ１，Ｙ１）を仮想座標平面におけるキー部材の原点に一致させることでユーザーが座標入力面１２の黒枠内にキー部材５を任意に設定可能になる。実座標入力面１２にはキーコード５２，５３，５４及びそれぞれのキーの位置情報が仮想座標平面の原点からの絶対アドレスの値としてそれぞれ図１０で示すように定義されている（図２参照）。
【００２７】
図１１に基づいて動作説明を行う。
【００２８】
ステップＳ１  において、発光検出装置２，３に設けられた受光素子に反射光が入射されないピークが２箇所あるかどうかを判断する。存在しないときには、ペンの位置検出制御を行う（Ｓ４）。存在する場合には、キー部材設定制御を行い、ステップＳ２において、実座標入力面におけるキー部材５の位置取得、ここでは図１の点Ｐ１（Ｘ１，Ｙ１）に設定される。
【００２９】
次に、スッテプＳ３において、取得された位置座標系に変換することにより、図２のようにキーは設定される。つまり、キー５２，５３，５４はそれぞれ（Ｘａ２＋Ｘ１，Ｙａ２＋Ｙ１）と（Ｘｂ２＋Ｘ１，Ｙｂ２＋Ｙ１）との間の領域、（Ｘａ３＋Ｘ１，Ｙａ３＋Ｙ１）と（Ｘｂ３＋Ｘ１，Ｙｂ３＋Ｙ１）との間の領域、（Ｘａ４＋Ｘ１，Ｙａ４＋Ｙ１）と（Ｘｂ４＋Ｘ１，Ｙｂ４＋Ｙ１）との間の領域に設定される。
【００３０】
【発明の効果】
以上の説明で明らかなように、本発明によれば、指で触るスイッチの位置が印刷されたシートであるキー部材が座標入力面の黒枠に任意に設定可能となるため、背面投射型表示装置において、説明者の身長に合わせてキーの配置を設定できる、キーの操作が容易になる。又、余分な領域である黒枠にキー部材を設定することにより、有効表示領域として利用されていないところを利用することが可能となる。
【図面の簡単な説明】
【図１】図５の座標検出装置を用いた場合の本発明に係る構成図である。
【図２】図１におけるキー部材５周辺の詳細図である。
【図３】図２の断面図である。
【図４】本発明に係る背面投写型表示装置を示す図である。
【図５】本発明で用いた座標検出装置の構成図である。
【図６】図５における発光検出装置２に設けられた受光素子のタイミングチャートである。
【図７】図５における発光検出装置３に設けられた受光素子のタイミングチャートである。
【図８】図１における発光検出装置２に設けられた受光素子のタイミングチャートである。
【図９】図１における発光検出装置３に設けられた受光素子のタイミングチャートである。
【図１０】キー種別情報と仮想アドレス空間の原点からの絶対アドレスを示す位置情報とが定義されたテーブルである。
【図１１】本発明に係る背面投写型表示装置におけるキー部材設定の動作を示すフローチャートである。
【図１２】本発明に係る背面投写型表示装置におけるキー部材設定の斜視図である。
【符号の説明】
１      背面投写型表示装置
２，３    発光検出装置
４      再帰性反射シート
５      キー部材
６      エスカッション
７      スクリーン
１１    説明者
１２    座標入力面
１３    コンピュータ
５１，６１  開口部
５２〜５４  キー
【符号の説明】
【図１】
2004362114.tif 000003
【図２】
2004362114.tif 000004
【図３】
2004362114.tif 000005
【図４】
2004362114.tif 000006
【図５】
2004362114.tif 000007
【図６】
2004362114.tif 000008
【図７】
2004362114.tif 000009
【図８】
2004362114.tif 000010
【図９】
2004362114.tif 000011
【図１０】
2004362114.tif 000012
【図１１】
2004362114.tif 000013
【図１２】
2004362114.tif 000014